(57)【要約】【課題】  まとまりのある複数の色を選択することや一色に対して統一感のある色を選択することなど、複数色を調和の取れた配色にすることが容易で、カラーサンプル１２相互間に関連性を持たせることで、カラーサンプル帳１１自体の配色が滑らかで、しなやかな配列となり、希望する色を適確で、簡単に選択することができるカラーサンプル帳１１を提供する。【解決手段】  カラーサンプル帳１１は、三色以上の複数色を表示したカラーサンプル１２を複数枚組合わせ、束ねられたカラーサンプル帳１１であって、そのカラーサンプル帳１１を構成するカラーサンプル１２の特定した一枚のカラーサンプル１２の色相範囲がその前後のいずれかにあるカラーサンプル１２の色相範囲と異なり、且つ、その色相範囲が重複した関係の複数枚のカラーサンプル１２を含むことものである。【選択図】    図１
2005258098.tif 000002
【特許請求の範囲】
【請求項１】
三色以上の複数色を表示したカラーサンプルを複数枚組合わせ、束ねられたカラーサンプル帳であって、
そのカラーサンプル帳を構成するカラーサンプルの特定した一枚のカラーカードの色相範囲がその前後のいずれかにあるカラーサンプルの色相範囲と異なり、且つ、その色相範囲が重複した関係の複数枚のカラーサンプルを含むことを特徴とするカラーサンプル帳。
【請求項２】
前記複数枚のカラーサンプルにより構成されたカラーサンプル群を複数群含むことを特徴とする請求項１に記載のカラーサンプル帳。
【請求項３】
前記カラーサンプル帳にある色の明度が３．０〜９．５の範囲で、一枚のカラーサンプルにある複数の色の最低明度と最高明度との明度差が０．３〜６．０の範囲であることを特徴とする請求項１又は請求項２に記載のカラーサンプル帳。
【請求項４】
前記カラーサンプル帳にある色の彩度が１５以下で、一枚のカラーサンプルにある複数の色の最低彩度と最高彩度との彩度差が０．１〜１０．０の範囲であることを特徴とする請求項１ないし請求項３のいずれかに記載のカラーサンプル帳。
【発明の詳細な説明】
【技術分野】
【０００１】
この発明は、建築物などの構造物の塗装に用いられる塗料について、その塗料から得られる色を示し、それらの色から希望する色を選択するためのカラーサンプル帳に関するものである。
【背景技術】
【０００２】
従来から複数の色を表示した色見本カードを複数枚組合わせた色見本帳を用い、色の提案、選択を行い、塗料の乾燥硬化した後の色を決定することが多い。この色見本カードにある色の多くは、マンセル値などにより数値化し、その数値を記号化し、その記号や数値を元にして順番に配列して表示した見本帳が多く存在している。
このマンセル値は、色を色相，明度，彩度に区分し、それぞれを数値化し、その３つの数値を組合わせて表したものである。
【非特許文献１】（社）日本塗料工業会  塗料用標準見本帳  この見本帳は、色見本帳の代表的なもので、多くの場合に用いられるものであり、色相順に色を配置し、明度，彩度の順番に変化させた色を順番に並べ表したものである。
【発明の開示】
【発明が解決しようとする課題】
【０００３】
ところが、このような色見本帳では、一枚の色見本カードに数値順に並べた複数色を表示していることが多く、そのため、それら複数色の違いをはっきりさせなければならなく、色相の差を大きくすることや明度，彩度に差を設けるなどで対応されていることが多い。又、色見本帳を構成する色見本カード相互間であっても同様なことが行われていることが多い。
それらによりを構成する色見本カード相互間に関連性が少なく、色の調和を考慮していないことから色見本全体の色の統一感が薄く、色見本帳自体の配色に滑らかさやしなやかさが欠けるものであり、希望する色を適確に選択することが困難な場合がある。又、色の選択作業が単調で、機械的なることがものである。
【０００４】
また、このような色見本カード、色見本帳などを用いた場合では、まとまりのある二以上の色を選択すること，ある一色に対して統一感のある色を選択することなど、二以上の色を調和の取れた配色にすることが難しいことがある。
特に、建築物などの構造物では、統一感，まとまり感といった調和のある色を選択することが必要な場合が多くある。調和の取れた色を選択できない場合では、その構造物の外観に関して、構造物の外観上、色彩の違和感が生じ、周りの自然環境，建築物などとの協調し難いことがある。又、室内においては、色彩の違和感から落ち着きがなくなることがある。
つまり、従来のものでは、単色としての色を表現したものであり、それにより複数の色を組合わせて、調和の取れたものではなかった。
【０００５】
この発明は、上記のような従来技術に存在する問題点に着目してなされたものである。その目的とするところは、まとまりのある複数の色を選択することや一色に対して統一感のある色を選択することなど、複数色を調和の取れた配色にすることが容易で、カラーサンプル相互間に関連性を持たせることで、カラーサンプル帳自体の配色が滑らかで、しなやかな配列となり、希望する色を適確で、簡単に選択することができるカラーサンプル帳を提供することにある。
【課題を解決するための手段】
【０００６】
上記の目的を達成するために、請求項１に記載の発明のカラーサンプル帳は、三色以上の複数色を表示したカラーサンプルを複数枚組合わせ、束ねられたカラーサンプル帳であって、そのカラーサンプル帳を構成するカラーサンプルの特定した一枚のカラーカードの色相範囲がその前後のいずれかにあるカラーサンプルの色相範囲と異なり、且つ、その色相範囲が重複した関係の複数枚のカラーサンプルを含むことを要旨とする。
【０００７】
請求項２に記載の発明のカラーサンプル帳は、請求項１に記載の発明において、前記複数枚のカラーサンプルにより構成されたカラーサンプル群を複数群含むことを要旨とする。
【０００８】
請求項３に記載の発明のカラーサンプル帳は、請求項１又は請求項２に記載の発明において、前記カラーサンプル帳にある色の明度が３．０〜９．５の範囲で、一枚のカラーサンプルにある複数の色の最低明度と最高明度との明度差が０．３〜６．０の範囲であることを要旨とする。
【０００９】
請求項４に記載の発明のカラーサンプル帳は、請求項１ないし請求項３のいずれかに記載の発明において、前記カラーサンプル帳にある色の彩度が１５以下で、一枚のカラーサンプルにある複数の色の最低彩度と最高彩度との彩度差が０．１〜１０．０の範囲であることを要旨とする。
【発明の効果】
【００１０】
請求項１に記載の発明のカラーサンプル帳によれば、まとまりのある複数の色を選択することや一色に対して統一感のある色を選択することなど、複数色を調和の取れた配色にすることが容易で、カラーサンプル相互間に関連性を持たせることで、カラーサンプル帳自体の配色が滑らかで、しなやかな配列となり、希望する色を適確で、簡単に選択することができるものである。
【００１１】
請求項２に記載の発明のカラーサンプル帳によれば、請求項１に記載の発明の効果に加え、一冊のカラーサンプル帳に多くの調和の取れたカラーサンプル群を備えることで、より多くの色をまとまり良く表示することができるものである。
【００１２】
請求項３に記載の発明のカラーサンプル帳によれば、請求項１又は請求項２に記載の発明の効果に加え、離れた色相の色であっても、見た目に近い色に感じることができることで、広い色相範囲を持つカラーサンプルであってもまとまりよく調和の取れた配色することができるものである。
また、狭い色相範囲を持つカラーサンプルである場合であっては、個々の色を十分に区別して認識することができ、調和の取れた配色のものである。
【００１３】
請求項４に記載の発明のカラー見本帳によれば、請求項１ないし請求項３のいずれかに記載の発明の効果に加え、離れた色相の色であっても、見た目に近い色に感じることができることで、広い色相範囲を持つカラーサンプルであってもまとまりよく調和の取れた配色することができるものである。
また、狭い色相範囲を持つカラーサンプルである場合であっては、個々の色を十分に区別して認識することができ、調和の取れた配色のものである。
【発明を実施するための最良の形態】
【００１４】
以下、この発明の実施形態を詳細に説明する。
この発明でのカラー見本帳は、三色以上の複数色を表示したカラーサンプルを複数枚組合わせ、束ねられたカラーサンプル帳であって、そのカラーサンプル帳を構成するカラーサンプルの特定した一枚のカラーカードの色相範囲がその前後のいずれかにあるカラーサンプルの色相範囲と異なり、且つ、その色相範囲が重複した関係の複数枚のカラーサンプルを含むことである。
【００１５】
そして、このカラーサンプル帳に表示されている色は、実際の物体の色やその物体のに付与される予定の色の選択を行うことや付与された後などの色の確認をするためのものである。例えば、塗料などの流動性のある着色材が乾燥硬化した後に形成される塗膜，その塗膜により被覆される物体の色を選択、確認などを行うものである。
【００１６】
この発明のカラーサンプル帳は、複数色を表示しているものであることから、主に実際の物体の色やその物体のに付与される予定の色の選択を行う場合に用いるものである。
色の確認のみの場合では、複数の色が表示されているカラーサンプル帳を用いることなく、一色のみ表示されているカラーサンプルを用いれば済むが、色選択する場合では、より多くの色が表示されているカラーサンプル帳を用いることで、十分に納得した色選択を行うことができる。
【００１７】
これらの中でも、被塗布物に対して、塗料などにより色を付与する場合の色選択に用いられる場合が多く、特に経年で塗り替えられる住宅などの構造物の色選択に用いられる機会が多い。この構造物の外壁等の外部においての色選択では、その対象となる構造物の周辺に存在する構築物，自然物等の環境との調和を考慮する必要がある。又、内壁等の室内においての色選択では、その室内に存在する家具等の物品との調和を考慮する必要がある。
このような色を付与する物体とその物体の周りにあるものとの調和を考慮した場合の色選択において、この発明のカラーサンプル帳は、特に有効なものである。
【００１８】
このカラーサンプル帳は、複数枚のカラーサンプルを組合せ束ねたものであり、その束ね方として、バラバラの一枚単位のカラーサンプルをゴム，紐などで束ねたり、ケースに収めたりすることがある。多くの場合は、カラーサンプルの端部を留め具によって留めるなどの方法が取られる。これらのような束ね方により、一枚のカラーサンプルを複数枚集め、カラーサンプル帳とするものである。この束ね方のうち、留め具を用いて留めることが多く行われている。留め具を用いることにより、一枚単位のカラーサンプルがバラバラになることなく、そのカラーサンプルの順番を乱すことなく、カラーサンプル帳の使用，保管ができる。
【００１９】
このような留め具を用いて束ねたカラーサンプル帳の一例として図１に示したものが挙げられる。この図示したカラーサンプル帳１１は、複数枚のカラーサンプル１２を鋲のような留め具１３を用いて束ねたものである。この留め具による留め位置が、カラーサンプルの端部中央であるが、端部中央に限らずカラーカードの隅角部であっても良い。
【００２０】
このカラーサンプル１２には、三色以上の複数色が表示され、これにより、一つのカラーサンプル帳をコンパクトで、より多くの色を表示することが可能となり、一枚のカラーサンプルの色相範囲を形成することができる。又、一枚のカラーサンプルに表示されている色同士を比較することができる。
上記図１に示したカラーサンプル帳１１を広げた状態を図２に示す。この状態が複数枚のカラーサンプル１２から色を選択する場合のカラーサンプル帳１１の使用例の一つとなる。このカラーサンプル１２には、三色表示されているものである。
このカラーサンプル１２は、長方形などの矩形状のものであることが一般的で、複数枚のカラーサンプル１２から構成されるカラーサンプル帳１１の作成，保管，輸送などの効率が向上することがある。
【００２１】
このカラーサンプル１２の色相範囲とは、その一枚のカラーサンプル１２に表示されている各色の色相により形成されるものであり、その色相とは、色の属性の一つであり、他に明度，彩度と共に色を構成するものである。この色相は、赤、青、黄などの色みの違いをいうものであり、この色みのない色のことを無彩色といい、白、黒、灰色などがあり、赤、青、黄など色みのあるもののことを有彩色といい、色相を有する。
【００２２】
この色相は、図３に示された色相環を用いて表すことがある。この色相環は、赤（５Ｒ），橙（５ＹＲ），黄（５Ｙ），黄緑（５ＧＹ），緑（５Ｇ），青緑（５ＢＧ），青（５Ｂ），藍（５ＰＢ），紫（５Ｐ），赤紫（５ＲＰ）の代表的な１０色を順に時計回りに、等間隔で円の周囲に配置し、表示したものであり、それぞれの色を数字とアルファベットとの組み合わせで表示し、その代表的な色の間を更に４分割し、細かく色相を表示し、色相全体を４０分割した色相環を図２に示す。
【００２３】
この色相環は、赤の中心を５Ｒとし、時計回り方向にある橙の中心である５ＹＲに向かって、５Ｒ→７．５Ｒ→１０Ｒ→２．５ＹＲ→５ＹＲと赤色が時計回り方向に進むとだんだん橙色に近づくことを表したもので、他の色に関しても同様なもので、更に、７．５ＹＲ→１０ＹＲと続き、一周するものである。
この図４に示した４０分割の色相環により色相の用いられることが多く、他に色相環全体を１００分割したものもあり、近年、その色相環をより細かく表すことも多くなりつつある。
【００２４】
より細かくした表し方は、例えば、７．８Ｒ，５．５Ｒ，０．２Ｒなどといったようにその数値を１／１０の位まで表す（１０００分割の色相環）ことや場合によっては、０．０４ＧＹなどといったように、その数値を１／１００の位まで表す（１００００分割の色相環）ことがある。このように細かく表示することで、無数に存在する色相をより詳細に表現することが可能である。
このように色相環は、赤から黄，緑，青，紫，そして、また赤に戻るといった色の変化を表したものである。これがマンセル表色系の色相表示であり、この色相及び彩度，明度を組合わせて色を数値表示したものがマンセル値である。
【００２５】
この明度は、明るさの度合いをいうものであり、明度が低い場合は、黒っぽい色のものを指し、高いものは、白っぽい色を指す。つまり、明度は、色の相対的な明暗に関する色の属性を数値化したもので、理想的な黒を０，理想的な白を１０として、その間を感覚的に等歩度に見えるように１００等分して１／１０の位までで表すことがある。
【００２６】
彩度は、色の鮮やかさを表すものであり、彩度が低い場合は、黒っぽいくすんだ色みの少ない色のものを指し、大きいものは、鮮やかな色みの強い色のものを指し、色付の強さの程度が等しい明度をもつ無彩色からの隔たりで表した色の属性であり、無彩色を０とし、色付きの強さの程度が感覚的に等歩度に見えるように分割し、１から，２，３・・・と可能な限りすことが一般的であり、近年では、より細かく１／１０の位までで表現されることが多い。
【００２７】
この色の表示としてマンセル記号を用いた場合、色相明度／彩度（○○△××／◇◇）の順に表示し、○×◇の部分には、それぞれの数字が入り、△の部分には、大まかな色を表現した大文字アルファベットが入り、７．５ＹＲ４．８／３．０，５．０ＰＢ４．１／２．０，１０．０ＧＹ６．８／１．８などのように表して用いられるものである。
【００２８】
さらに、明度と彩度の概念を合わせた色調により色の印象を表すこともある。この色調は、明度と彩度とが変化することにより色の調子が変化することであり、色の濃さや明るさに大きく影響するものである。
このような色相，明度，彩度は、一般的なカラーカードには、マンセル記号として表示される場合が多いが、表示されていない場合には、測色計により測定が可能であり、この測色計の種類によっては、色相，明度，彩度を直接測定ができるものもあれば、他の色の測定値を換算することにより容易に求めることも可能である。
【００２９】
さらに、このカラーサンプル帳と測色計とを組合わせて、より簡単に色の選択を行うことが可能である。
これは、色を選択しなければいけない対象物の周囲にあるものの色を測色機で測定し、その測定した色又はその類似した色をカラーサンプル帳から探し、その探した色の近くにある色を対象物に付与する色として選択することである。こうすることで、色選択をより簡単に行うことが可能となる。
【００３０】
この色相を利用した色相範囲とは、カラーサンプル帳１１を構成する一枚のカラーサンプル１２に表示されている三以上の色の色相から形成される角度のことで、例えば、一枚のカラーサンプル１２に表示されている色が三色あって、その色が赤（５Ｒ），黄緑（５ＧＹ），青（５Ｂ）の場合では、その色相範囲は、最小角度となる５Ｒ→５ＧＹ→５Ｂの順に角度を形成する範囲が色相範囲であり、０°〜２１６°と角度により表すことになる。
【００３１】
また、赤（５Ｒ），黄と黄緑の中間色（１０Ｙ），青緑（５ＢＧ），紫（５Ｐ）であるような場合では、その色相範囲が５Ｐ→５Ｒ→１０Ｙ→５ＢＧの順で形成される範囲で、２８８〜９０°の範囲となり、又、赤（５Ｒ），黄と黄緑の中間色（１０Ｙ），青緑（５ＢＧ），藍（５ＰＢ）であるような場合では、その色相範囲が５Ｒ→１０Ｙ→５ＢＧ→５ＰＢの順で形成される範囲で、０°〜２５２°の範囲となる。
このようにして色相範囲を決めるが、複数の色が等間隔にある場合などでは、色相範囲が３６０°を全てになってしまい、色相範囲が無いものとして取り扱う。例えば、四色（５Ｒ，１０Ｙ，５ＢＧ，１０ＰＢ）が等間隔に並ぶ場合や五色（５Ｒ，５Ｙ，５Ｇ，５Ｂ，５Ｐ）が等間隔に並ぶ場合などである。
【００３２】
また、赤と黄緑の中間色（１０Ｒ），黄（５Ｙ），青緑（１０ＢＧ），（５ＰＢ）の四色の場合などでは、１０Ｒ→５Ｙ→５ＢＧ→５ＰＢの順で形成される１８°〜２５２°の範囲と１０ＢＧ→５ＰＢ→１０Ｒ→５Ｙの順で形成される１９８°〜７２°の範囲と二つ同じ角度で色相範囲を持つことになる。このように色相範囲が二つ生じた場合も色相範囲が無いものとして扱う。色相範囲の無いものは、この発明の色相範囲と異なり、色相範囲が重複した関係を満たすことができないものである。
このように色相範囲は、一枚のカラーサンプル１２に表示されている複数の色を色相環に並べ、その色を全て含む最小の角度のことであり、一枚のカラーサンプル１２の色相範囲を設定する。
【００３３】
こうして設定された一枚のカラーサンプル１２の色相範囲は、そのカラーサンプル１２の前後のいずれかに配されたカラーサンプル１２の色相範囲と異なり、且つ、その色相範囲が重複した関係の複数枚のカラーサンプル１２によりカラーサンプル帳１１を構成する。
【００３４】
カラーサンプル１２相互の色相範囲が異なり、且つ、色相範囲が重複した関係とは、その範囲が完全に一致するものではなく、その範囲が一部又は全部重複した範囲のことである。例えば、色相範囲が２０°〜１１０°の色相範囲を有するカラーサンプル１２に対しては、１０°〜１２０°の範囲のように上記範囲の全てを含む場合，３０°〜１００°の範囲のように上記範囲の全てが含まれる場合，３００°〜３０°や９０°〜３００°の範囲のように上記範囲の一部分が重複する場合がある。
このようなカラーサンプル帳１１では、カラーサンプル１２相互間に関連性を持たせることができ、それにより、カラーサンプル帳１１自体の配色が滑らかで、しなやかな配列となるものが得られる。このカラーサンプル帳１１を用いた場合では、希望する色を適確で、簡単に選択することができ、又、まとまりのある複数の色を選択することや一色に対して統一感のある色を選択することが容易にできる。
【００３５】
さらに、上記のようにカラーサンプル１２相互の色相範囲が異なり、且つ、色相範囲が重複した関係の集まりを一群としたカラーサンプル群を複数群用いてカラーサンプル帳１１を構成することが好ましい。
このような形態のカラーサンプル帳１１により、一冊のカラーサンプル帳に多くの調和の取れたカラーサンプル群を備えることで、より多くの色をまとまり良く表示することができる。
【００３６】
また、前記複数枚のカラーサンプル１２により構成されたカラーサンプル群を複数群含むことが好ましいものである。これは、カラーサンプル帳１１が一枚のカラーカードの色相範囲がその前後のいずれかにあるカラーサンプル１２の色相範囲と異なり、且つ、その色相範囲が重複した関係の複数枚のカラーサンプル１２により構成されるものを一群として、その一群を複数含むことである。
つまり、一枚のカラーカードの色相範囲がその前後のいずれかにあるカラーサンプル１２の色相範囲と異なり、その色相範囲が重複した関係にある部分をカラーサンプル群とし、そのカラーサンプル群を複数で構成されるカラーサンプル帳１１であり、このような構成と採ることで、一冊のカラーサンプル帳に多くの調和の取れたカラーサンプル群を備えることで、より多くの色をまとまり良く表示することができるものである。
【００３７】
また、このカラーサンプル群とカラーサンプル群との間には、色相範囲が上記記載のような色相範囲が異なり、その色相範囲が重複した関係にはなく、それぞれ違った関連性が少ない色相範囲のものである。このような関係を利用して、それぞれのカラーサンプル群にそれぞれ色相などの関連したイメージ，テーマなどを設定して、それをカラーサンプル群の題目として用いることも可能であり、それにより、多くの色が表示されたカラーサンプル帳１１の色が整理された状態になりそれから適切にイメージに合う色の選択がより容易なものとなる。
【００３８】
このカラーサンプル帳１１に表示されている色の明度が３．０〜９．５の範囲で、一枚のカラーサンプル１２にある複数の色の最低明度と最高明度との明度差が０．３〜６．０の範囲であることが好ましく、又、彩度が１５以下であり、一枚のカラーサンプル１２にある複数の色の最低彩度と最高彩度との彩度差が０．１〜１０．０の範囲であることが好ましい。
これにより、離れた色相の色であっても、見た目に近い色に感じることができることで、広い色相範囲を持つカラーサンプル１２であってもまとまりよく調和の取れた配色することができるものである。また、狭い色相範囲を持つカラーサンプル１２である場合であっては、個々の色を十分に区別して認識することができ、調和の取れた配色のものである。
【００３９】
このように明度が３．０〜９．５の範囲であることで、白，黒の無彩色及びそれに近いもの、特に、黒っぽい色を避け、表示されることである。又、彩度については、極端に鮮やかな色を避けて、表示されている。これは、このカラーサンプル帳１１が住宅などの構造物の塗装に際して用いられることが多く、上記記載のように構造物の周囲の環境，物品との調和を必要とする場合が多いことから、極端な色使い好まれないものである。
この上記範囲内のように白黒の無彩色，それに近い色，極端に鮮やかな色など調和し難い色を避けることで、構造物の外壁等の外部では、構造物の周辺に存在する構築物，自然物等の環境との調和の取れた、又、内壁等の室内では、家具等の物品との調和が取れた色を選択することが容易なものとなる。
【００４０】
また、一枚のカラーサンプル１２にある複数の色の最低明度と最高明度との明度差が０．３〜６．０の範囲，最低彩度と最高彩度との彩度差が０．１〜１０．０の範囲であることで、一枚のカラーサンプル１２の色相範囲が比較的広い場合であっても、まとまった色に認識することができ、又、色相範囲が比較的狭い場合では、個々の色を十分に区別することが可能である。
さらに、一つのカラーサンプル帳１１が、明度では、３．０〜９．５の範囲に収まり、個々のカラーサンプル１２の最低明度と最高明度との明度差が異なったものが望ましく、同様に彩度が１５以下で、個々のカラーサンプル１２の最低彩度と最高彩度との彩度差が異なったものが望ましい。
このようなカラーサンプル帳にすることで、カラーサンプル１２間であってもまとまった色であって、個々の色を十分に区別することができるものである。
【００４１】
この発明は、上記記載のように構成される。以下に、より詳細な説明を図２に示したカラーサンプル帳１１を用いて行う。
このカラーサンプ帳１１のカラーサンプル１２には、三つの色表示部１５〜１６がある。
【００４２】
カラーカード１２ａ
（表示部）            （マンセル値）          （色相角度）
色表示部１４ａ        ２．７ＧＹ８．４／０．９    ９９．７２°
色表示部１５ａ        ８．７Ｙ６．９／１．２      ８５．３２°
色表示部１６ａ        ０．４ＧＹ５．４／１．２    ９１．４４°
色相範囲：８５．３２°〜９９．７２°
明度範囲：５．４〜８．４
明度差：３．０
彩度範囲：０．９〜１．２
彩度差：０．３
【００４３】
カラーカード１２ｂ
（表示部）            （マンセル値）          （色相角度）
色表示部１４ｂ        ０．３ＧＹ９．０／１．１    ９１．０８°
色表示部１５ｂ        ６．２Ｙ８．４／１．１      ７６．３２°
色表示部１６ｂ        ０．１ＧＹ６．４／１．７    ９０．３６°
色相範囲：７６．３２°〜９１．０８°
明度範囲：６．４〜９．０
明度差：２．６
彩度範囲：１．１〜１．７
彩度差：０．６
【００４４】
カラーカード１２ｃ
（表示部）            （マンセル値）          （色相角度）
色表示部１４ｃ        ５．９Ｙ８．８／１．０      ７５．２４°
色表示部１５ｃ        ０．４ＧＹ８．２／１．１    ９１．４４°
色表示部１６ｃ        ８．７Ｙ６．２／１．８      ８５．３２°
色相範囲：７５．２４°〜９１．４４°
明度範囲：６．２〜８．８
明度差：２．６
彩度範囲：１．０〜１．８
彩度差：０．８
【００４５】
カラーカード１２ｄ
（表示部）            （マンセル値）          （色相角度）
色表示部１４ｄ        ６．２Ｙ８．５／１．２      ７６．３２°
色表示部１５ｄ        ５．７Ｙ６．８／２．５      ７４．５２°
色表示部１６ｄ        ９．５Ｙ４．６／２．０      ８８．２０°
色相範囲：７４．５２°〜８８．２０°
明度範囲：４．６〜８．５
明度差：３．９
彩度範囲：１．２〜２．５
彩度差：１．３
【００４６】
カラーカード１２ｅ
（表示部）            （マンセル値）          （色相角度）
色表示部１４ｅ        ５．２Ｙ８．２／１．０      ７２．７２°
色表示部１５ｅ        ７．７Ｙ６．８／１．８      ８１．７２°
色表示部１６ｅ        ３．６Ｙ３．８／１．１      ６６．９６°
色相範囲：６６．９６°〜８１．７２°
明度範囲：３．８〜８．２
明度差：４．４
彩度範囲：１．０〜１．８
彩度差：０．８
【００４７】
カラーカード１２ｆ
（表示部）            （マンセル値）          （色相角度）
色表示部１４ｆ        ４．５Ｙ８．４／１．０      ６８．４０°
色表示部１５ｆ        ４．０Ｙ７．５／１．８      ８１．７２°
色表示部１６ｆ        １．４Ｙ３．７／１．６      ５９．０４°
色相範囲：５９．０４°〜８１．７２°
明度範囲：３．７〜８．４
明度差：４．７
彩度範囲：１．０〜１．８
彩度差：０．８
【００４８】
これら六枚のカラーカード１２ａ〜１２ｆの色相範囲は、それぞれ８５．３２°〜９９．７２°，７６．３２°〜９１．０８°，７５．２４°〜９１．４４°，７４．５２°〜８８．２０°，６６．９６°〜８１．７２°，５９．０４°〜８１．７２°の範囲であり、その色相範囲の関係は、一枚のカラーカードの色相範囲がその前後のいずれかにあるカラーサンプルの色相範囲と異なり、重複したものである。
【００４９】
そのため、このカラーサンプル帳は、まとまりのある複数の色が配色され、カラーサンプル相互間に関連性を持たせることで、カラーサンプル帳自体の配色が滑らかで、しなやかな配列となり、複数色を調和の取れた状態のものとなった。
それにより、複数の色を選択することや一色に対して統一感のある色を選択することなどが容易で、適確に行うことができるものである。
【００５０】
また、この六枚のカラーカード１２ａ〜１２ｆの色相範囲は、５９．０４°〜９９．７２°と約４０°と比較的狭く、そのため全体として似通った色相のものであるが、明度，彩度のそれぞれの関係が一枚のカラーカードの明度範囲，彩度範囲がその前後のいずれかにあるカラーサンプルの明度範囲，彩度範囲と異なり、重複したものであることで、個々の色を十分に区別することができるものである。
【００５１】
このカラーカード１２ａ〜１２ｆの明度範囲は、５．４〜８．４，６．４〜９．０，６．２〜８．８，４．６〜８．５，３．８〜８．２，３．７〜８．４であり、それぞれ異なり、重複した範囲のもので、そのカラーカード１２ａ〜１２ｆのそれぞれの明度差は、３．０，２．６，２．６，３．９，４．４，４．７であり、個々の色を十分に区別して認識することができ、調和の取れた配色のものである。
【００５２】
カラーカード１２ａ〜１２ｆそれぞれの彩度範囲は、０．９〜１．２，１．１〜１．７，１．０〜１．８，１．２〜２．５，１．０〜１．８，１．０〜１．８であり、そのカラーカード１２ａ〜１２ｆのそれぞれの彩度差は、０．３，０．６，０．８，１．３，０．８，０．８であり、カラーカード１２ｅとカラーカード１２ｆのみ完全に一致するが、その他は、それぞれ異なり、重複した範囲のもので、上記明度の場合と同様で、個々の色を十分に区別して認識することができ、調和の取れた配色のものである。
【００５３】
また、このように明度範囲及び彩度範囲、更に明度差及び彩度差がそれぞれ異なるものであることからカラーサンプル１２間であってもまとまった色であって、個々の色を十分に区別することができるものである。
【００５４】
次に、前記実施形態から把握できる技術的思想について以下に記載する。
（Ａ）カラーサンプル群間の色相範囲が異なり、且つ、その色相範囲が重複した関係にないものであって、各カラーサンプル群にそれぞれ色相から関連したイメージ，テーマを設定し、それをカラーサンプル群の題目として用いることを特徴とする請求項１〜請求項４のいずれかに記載のカラーサンプル帳。
これにより、多くの色が表示されたカラーサンプル帳の色が整理された状態になりそれから適切にイメージ，テーマに合う色の選択がより容易なものとなる。
【００５５】
（Ｂ）上記請求項１〜請求項３のいずれか又は前記（Ａ）に記載のカラーサンプル帳を用いて、建築物などの構造物の外観又は室内に係る色を選択することを特徴とする色選択方法。
これにより、構造物の外観上、色彩の違和感が生じ、周りの自然環境，建築物などとの協調する色を選択することができ、又、室内においては、色彩の違和感の少ない色を選択することができるなど統一感，まとまり感といった調和のある色を選択することができる。
【００５６】
（Ｃ）選択された色を塗料により付与することを特徴とする前記（Ｂ）に記載の色選択方法。
これにより、経年で塗り替えられる構造物の周辺に存在する既存構築物，自然物等の環境との調和を考慮した色を選択することができ、室内では、その室内に存在する家具等の物品との調和を考慮した色を選択することができる。
【００５７】
（Ｄ）色を選択しなければいけない対象物の周囲にあるものの色を測色機で測定し、その測定した色又はその類似した色を上記カラーサンプル帳から探し、その探した色の近くにある色を対象物に付与する色として選択することを特徴とする色選択方法。
こうすることで、色選択をより簡単に行うことが可能となる。
【図面の簡単な説明】
【００５８】
【図１】留め具を用いて束ねたカラーサンプル帳の一例を示したもの。
【図２】図１に示したカラーサンプル帳を広げた状態を示したもの。
【図３】色相環（色相全体を１０分割したもの）を示したもの。
【図４】色相全体を４０分割した色相環を示したもの。
【符号の説明】
【００５９】
１１…カラーサンプル帳。１２…カラーサンプル。１３…留め具。１４…色表示部。１５…色表示部。１６…色表示部。
【図１】
2005258098.tif 000003
【図２】
2005258098.tif 000004
【図３】
2005258098.tif 000005
【図４】
2005258098.tif 000006